(57)【要約】  LETシステムにおけるUEが基地局へ上り信号を送信するために用いられる、スケジューリング要求信号の送信方法及び装置であって、無線フレーム時間長がSR周期よりも短い場合、全体の時間長がSR周期に等しい複数の連続無線フレームにおける初の無線フレームの開始サブフレームからSRサブフレームずれを移動させた後、SR信号の送信フレームとサブフレームを確定し、無線フレーム時間長がSR周期以上の場合、各無線フレームをSR信号の送信フレームとして確定し、無線フレーム時間長がSR周期に等しい場合、送信フレームの開始サブフレームからSRサブフレームずれを移動させた後、送信フレームのサブフレームを定位し、無線フレーム時間長がSR周期よりも長い場合、無線ハーフフレームの開始サブフレームからSRサブフレームずれを移動させた後、送信フレームのサブフレームを定位し、UEが確定された送信フレームのサブフレームにSR信号を基地局へ送信する。【選択図】図４
2011517221.tif 000002
【特許請求の範囲】
【請求項１】
LTEシステムにおけるユーザ端末UEが基地局へ上り信号を送信するために用いられるスケジューリング要求信号の送信方法であって、
前記UEは、スケジューリング要求SR信号を送信する無線フレームとサブフレームを確定し、無線フレーム時間長がSR周期よりも短い場合、全体の時間長が前記SR周期に等しい複数の連続する無線フレームにおける初の無線フレームの開始サブフレームからSRサブフレームずれを移動させた後、前記SR信号の送信フレームとサブフレームを確定し、無線フレーム時間長がSR周期以上の場合、各無線フレームをSR信号の送信フレームとして確定し、無線フレーム時間長がSR周期に等しい場合、送信フレームの開始サブフレームからSRサブフレームずれを移動させた後、送信フレームのサブフレームを定位し、無線フレーム時間長が前記SR周期よりも長い場合、無線ハーフフレームの開始サブフレームから前記SRサブフレームずれを移動させた後、送信フレームのサブフレームを定位し、
前記UEは、確定された前記送信フレームの前記サブフレームによって前記SR信号を基地局へ送信する、
スケジューリング要求信号の送信方法。
【請求項２】
前記UEはSR信号を送信する無線フレームとサブフレームを確定し、
前記UEは、前記SRサブフレームずれが0である場合、送信フレームのシステムフレーム番号nfが等式
【数１】
2011517221.tif 000022
を満足することを確定し、SRサブフレームずれが0ではない場合、送信フレームのシステムフレーム番号nfが等式
【数２】
2011517221.tif 000023
を満足することを確定し、
前記UEは等式
【数３】
2011517221.tif 000024
を満足するスロットインデクスnsにより、前記送信フレームのサブフレームを確定し、
上記の等式では、modがmod演算子、NSR_PがSR周期、NOFFSET,SRがSRサブフレームのずれ、|_  _|がfloor（x）演算子である、請求項1に記載の方法。
【請求項３】
前記UEはSR信号を送信する無線フレームとサブフレームを確定し、
前記UEは等式
【数４】
2011517221.tif 000025
を満足するnfを前記送信フレームのシステムフレーム番号に確定し、当該等式を満足するスロットインデクスnsにより前記送信フレームのサブフレームを確定し、ここで、modがmod演算子、NSR_PがSR周期、NOFFSET,SRがSRサブフレームのずれ、|_  _|がfloor（x）演算子である、
請求項１に記載の方法。
【請求項４】
SR信号を送信する無線フレームとサブフレームを確定する前に、前記UEは、基地局が送信したSR配置インデクスにより前記SR周期と前記SRサブフレームずれを確定し、すなわち、前記SR周期が相応の5ms、10ms、20ms、40ms、80ms及びOFFであることをぞれぞれに指示するために、前記SR配置インデクス0〜155が0〜4、5〜14、15〜34、35〜74、75〜154及び155の6段に分けられ、１段目の前記サブフレームずれが当該段の相応のSR配置インデクスに等しく、他の各段の前記サブフレームのずれが当該段の相応のSR配置インデクス引く当該段の前の各段の前記SR周期の和に等しく、OFFが周期閉鎖を表す、
請求項1〜３のいずれか一つに記載の方法。
【請求項５】
LTEシステムにおけるユーザ端末UEが上り信号を基地局へ送信するために用いられるスケジューリング要求信号の送信装置であって、相互に接続する無線フレーム及びサブフレームの確定モジュールと送信モジュールとを含み、
無線フレーム及びサブフレームの確定モジュールは、スケジューリング要求SRサブフレームずれとSR周期によりSRを送信する無線フレーム及びそのサブフレームの位置を確定し、無線フレーム時間長が前記SR周期よりも短い場合、全体の時間長が前記SR周期に等しい複数の連続無線フレームにおける初の無線フレームの開始サブフレームから前記SRサブフレームずれを移動させた後、前記SR信号の送信フレームとサブフレームを確定し、無線フレーム時間長が前記SR周期以上の場合、各無線フレームを前記SR信号の送信フレームとして確定し、無線フレーム時間長が前記SR周期に等しい場合、前記送信フレームの開始サブフレームからSRサブフレームずれを移動させた後、送信フレームのサブフレームを定位し、無線フレーム時間長が前記SR周期よりも長い場合、無線ハーフフレームの開始サブフレームから前記SRサブフレームずれを移動させた後、前記送信フレームのサブフレームを定位し、確定された前記SRを送信する無線フレーム及びそのサブフレームの位置を送信モジュールへ出力し、
前記送信モジュールが、確定された前記送信フレームの前記サブフレームによって前記SR信号を基地局へ送信する、
スケジューリング要求信号の送信装置。
【請求項６】
前記無線フレーム及びそのサブフレームの確定モジュールがSRを送信する無線フレーム及びそのサブフレームの位置を確定するとは、前記SRサブフレームずれが0である場合、前記送信フレームのシステムフレーム番号nfが等式
【数５】
2011517221.tif 000026
を満足することを確定し、前記SRサブフレームずれが0ではない場合、前記送信フレームのシステムフレーム番号nfが等式
【数６】
2011517221.tif 000027
を満足することを確定するという意味であり、等式
【数７】
2011517221.tif 000028
を満足するスロットインデクスnsにより送信フレームのサブフレームを確定し、上記の等式では、modがmod演算子、NSR_PがSR周期、NOFFSET,SRがSRサブフレームのずれ、|_  _|がfloor（x）演算子である、
請求項5に記載の装置。
【請求項７】
前記無線フレーム及びそのサブフレームの確定モジュールがSRを送信する無線フレーム及びそのサブフレームの位置を確定するとは、等式
【数８】
2011517221.tif 000029
を満足するnfを前記送信フレームのシステムフレーム番号に確定し、この等式を満足するスロットインデクスnsにより前記送信フレームのサブフレームを確定するという意味であり、ここで、modがmod演算子、NSR_PがSR周期、NOFFSET,SRがSRサブフレームのずれ、|_  _|がfloor（x）演算子である、
請求項5に記載の装置。
【請求項８】
前記無線フレーム及びサブフレームの確定モジュールに接続された、SR周期及びサブフレームずれの確定モジュールを備え、
前記SR周期及びサブフレームずれの確定モジュールが、基地局が送信したSR配置インデクスにより前記SR周期と前記SRサブフレームずれを確定するために用いられ、すなわち、前記SR周期が相応の5ms、10ms、20ms、40ms、80ms及びOFFであることをぞれぞれ指示するために、前記SR配置インデクス0〜155が0〜4、5〜14、15〜34、35〜74、75〜154及び155の6段に分けられ、１段目の前記サブフレームずれが当該段の相応のSR配置インデクスに等しく、その他の各段の前記サブフレームずれが当該段の相応のSR配置インデクス引く当該段の前の各段の前記SR周期の和に等しく、OFFが周期閉鎖を表し、確定された前記SR周期と前記SRサブフレームずれを前記無線フレーム及びサブフレームの確定モジュールに出力する、
請求項5〜7のいずれか一つに記載の装置。
【発明の詳細な説明】
【技術分野】
【０００１】
本発明は、通信システムの上り信号の送信方法に関し、特に、長期発展（LTE：Long Term Evolution）移動端末がスケジューリング要求信号を基地局へ送信する方法及びそれに相応する装置に関する。
【背景技術】
【０００２】
図１にLTEシステムの時分割通信（TDD：Time Division Duplex）モードのもとでのフレーム構造を示す。この構造は、第2種のフレーム構造（frame structure type 2）と称されることがある。このようなフレーム構造では、1つの10ms（30720 Ts/msにおいて307200 Tsを占める。）の無線フレームが2つのハーフフレームに分けられる。ハーフフレームごとの長さは5ms（すなわち153600Ts）であり、且つハーフフレームごとに５つのサブフレームが含まれ、サブフレームごとの長さは１msである。その機能は表1に示されている。具体的には、Dは下り信号を伝送するための下りサブフレームであり、Uは上り信号を伝送するための上りサブフレーム（またはノーマル上りサブフレームと称される）である。また、1つの上り/下りサブフレームが、また2つの0.5msのタイムスロットに分けられる。Sは特殊なサブフレームを示し、この特殊なサブフレームに下りパイロットタイムスロット（DwPTS：Downlink Pilot Time Slot ）、保護時間間隔（GP：Guard Period）及び上りパイロットタイムスロット（UpPTS：Uplink Pilot Time Slot）という3つの特殊なタイムスロットが含まれる。実際のシステムにおいては、上り、下りに配列されたインデクスが放送情報によりユーザ端末（UE：User Equipment）に通知される。
【表１】
2011517221.tif 000003
【０００３】
図２に示すように、LTEシステムの周波数分割通信（FDD： Frequency Division Duplex）モードのもとでのフレーム構造は、第一種のフレーム構造（frame structure type 1）と称されることがある。1つの10msの無線フレームが20個の0.5msのタイムスロットに分けられ、隣接する2つのタイムスロットが1msのサブフレームを構成する。すなわちサブフレームiはタイムスロット2iと2i＋1とからなる。ここで、i=0、1、2、…、9である。FDDモードのもとで、10個のサブフレームが全て上りまたは下り信号の伝送に用いられ、上り、下り信号が異なる周波数帯域に区分される。
【０００４】
LTEシステムにおいては、物理資源ブロック（PRB：Physical Resource Block、資源ブロックRB：Resource Blockと略称される）を１単位として資源が割り当てられる。1つのPRBが周波数領域で12個のサブキャリア（Subcarrier、または資源エレメントRE：Resource Elementと称される。各サブキャリアは15KHzである）を占め、時間領域で1つのタイムスロットを占める。すなわち、1つのPRBが時間領域でノーマルサイクリックプレフィックス（Normal CP：Normal Cyclic Prefix）の7つのSC-FDMA符号、または、拡張サイクリックプレフィックス（Extended CP：Extended cyclic prefix）の６つのSC-FDMA符号を占める。仮に、上りシステム帯域幅が周波数領域で対応するRBの総数がNULRBであると、RBのインデクスは、0、1、…、NULRB-1で、REのインデクスは、0、1、…、NULRB・NRBSC-1である。ここで、NRBSCは一つのRBと周波数領域で対応するサブキャリアの数である。ノーマルサイクリックプレフィックスを例として、PRBの構造が、図3に示されている。
【０００５】
スケジューリング要求（SR：スケジューリングリクエスト）は、UEが信号をより高いデータレートで送信したい時に、UEから基地局へ送信される要求信号である。このSR信号は物理上り制御チャンネル（PUCCH：Physical Uplink Control Channel）で伝送されるものとして規定される。表２に示されるようにUEは、基地局から送信されたSR配置インデクスISRに従い、対応するSR周期とサブフレームのずれを獲得する。
【表２】
2011517221.tif 000004
【０００６】
例えば、基地局が送信したSR配置インデクスISRが6である場合、UEはSR周期が10msで、且つSRサブフレームのずれがISR-5=6-5=1であることを表2より認識することができる。
【０００７】
上記の表では、単にUEがどのようにISRによりSR信号の送信周期とそのサブフレームのずれを求めるかが確定されているが、UEがSR信号をどの無線フレームのサブフレームに送信するかについては示されていない。これは、UEが無線フレームを十分に効率的に利用することが保証されず、さらに、UEが送信したSR信号が基地局に確実に受信されないことを意味している。よって、現在UEがSRの送信周期及びサブフレームのずれによりSR信号を送信する無線フレーム及びサブフレームを確定させる方法が必要になる。
【発明の概要】
【発明が解決しようとする課題】
【０００８】
本発明が解決しようとする技術課題は、端末がスケジューリング要求SR信号を基地局へ送信する際に、すべての無線フレームが十分に効率的に利用されることを保証することを可能とした、スケジューリング要求信号の送信方法及び装置を提供することにある。
【課題を解決するための手段】
【０００９】
上記の技術課題を解決するために、本発明はLTEシステムにおけるユーザ端末UEが基地局へ上り信号を送信するための、スケジューリング要求信号の送信方法を提供することにある。
【００１０】
UEはスケジューリング要求SR信号を送信する無線フレームとサブフレームを確定し、無線フレーム時間長がSR周期よりも短い場合、全体の時間長が前記SR周期に等しい複数の連続無線フレームにおける初の無線フレームの開始サブフレームからSRサブフレームずれを移動させた後、SR信号の送信フレームとサブフレームを確定し、無線フレーム時間長がSR周期以上の場合、各無線フレームをSR信号の送信フレームとして確定し、無線フレーム時間長がSR周期に等しい場合、送信フレームの開始サブフレームからSRサブフレームずれを移動させた後、送信フレームのサブフレームを定位し、無線フレーム時間長が前記SR周期よりも長い場合、無線ハーフフレームの開始サブフレームからSRサブフレームずれを移動させた後、送信フレームのサブフレームを定位し、UEは、確定された送信フレームのサブフレームによって前記SR信号を基地局へ送信する。
【００１１】
さらに、UEはSR信号を送信する無線フレームとサブフレームを確定し、具体的に、UEはSRサブフレームずれが0である場合、送信フレームのシステムフレーム番号nfが等式
【数１】
2011517221.tif 000005
を満足することを確定し、SRサブフレームずれが0ではない場合、送信フレームのシステムフレーム番号nfが等式
【数２】
2011517221.tif 000006
を満足することを確定し、UEは等式
【数３】
2011517221.tif 000007
を満足するスロットインデクスnsにより送信フレームのサブフレームを確定し、上記の等式では、modがmod演算子、NSR_PがSR周期、NOFFSET,SRがSRサブフレームのずれ、|_  _|がfloor（x）演算子である。
【００１２】
さらに、UEはSR信号を送信する無線フレームとサブムフレームを確定し、具体的にUEは等式
【数４】
2011517221.tif 000008
を満足するnfを送信フレームのシステムフレーム番号に確定し、等式を満足するスロットインデクスnsにより送信フレームのサブフレームを確定し、ここで、modがmod演算子、NSR_PがSR周期、NOFFSET,SRがSRサブフレームのずれ、|_  _|がfloor（x）演算子である。
【００１３】
さらに、SR信号を送信する無線フレームとサブフレームを確定する前に、UEは、基地局が送信したSR配置インデクスによりSR周期と前記SRサブフレームずれを確定し、すなわち、SR周期が相応の5ms、10ms、20ms、40ms、80ms及びOFFであることをそれぞれに指示するため、SR配置インデクス0〜155が0〜4、5〜14、15〜34、35〜74、75〜154及び155の6段に分けられ、１段目のサブフレームずれが当該段の相応のSR配置インデクスに等しく、他の各段のサブフレームずれが当該段の相応のSR配置インデクス引く当該の前の各段のSR周期の和に等しく、OFFが周期閉鎖を表す。
【００１４】
上記の技術課題を解決するために、本発明は、LTEシステムにおける、基地局へ上り信号を送信するユーザ端末UEに対して用いられる装置を提供する。相互に接続する無線フレーム及びサブフレームの確定モジュールと送信モジュールとを含むスケジューリング要求信号の送信装置、を提供することにある。無線フレーム及びサブフレームの確定モジュールは、スケジューリング要求SRサブフレームずれとSR周期によりSRを送信する無線フレーム及びそのサブフレームの位置を確定し、無線フレーム時間長が前記SR周期よりも短い場合、全体の時間長周期がSR周期に等しい複数の連続無線フレームにおける初の無線フレームの開始サブフレームからSRサブフレームずれを移動させた後、SR信号の送信フレームとサブフレームを確定し、無線フレーム時間長がSR周期以上の場合、各無線フレームをSR信号の送信フレームとして確定し、無線フレーム時間長がSR周期に等しい場合、送信フレームの開始サブフレームからSRサブフレームずれを移動させた後、送信フレームのサブフレームを定位し、無線フレーム時間長がSR周期よりも長い場合、無線ハーフフレームの開始サブフレームからSRサブフレームずれを移動させた後、送信フレームのサブフレームの位置を確定し、確定されたSRを送信する無線フレーム及びそのサブフレームの位置を送信モジュールへ出力し、送信モジュールは確定された送信フレームのサブフレームによって前記SR信号を基地局へ送信するためである。
【００１５】
さらに、無線フレーム及びサブフレームの確定モジュールがSRを送信する無線フレーム及びそのサブフレームの位置を確定するとは、SRサブフレームずれが0である場合、送信フレームのシステムフレーム番号nfが等式
【数５】
2011517221.tif 000009
を満足することが確定し、SRサブフレームずれが0ではない場合、送信フレームのシステフレーム番号nfが等式
【数６】
2011517221.tif 000010
を満足することが確定するという意味であり、等式
【数７】
2011517221.tif 000011
を満足するスロットインデクスnsにより送信フレームのサブフレームを確定し、上記の等式では、modがmod演算子、NSR_PがSR周期、NOFFSET,SRがSRサブフレームのずれ、|_  _|がfloor（x）演算子である。
【００１６】
さらに、無線フレーム及びサブフレームの確定モジュールがSRを送信する無線フレーム及びそのサブフレームの位置を確定することは、等式
【数８】
2011517221.tif 000012
を満足するnfを送信フレームのシステムフレーム番号に確定し、等式を満足するスロットインデクスnsにより送信フレームのサブフレームを確定するという意味であり、ここで、modがmod演算子、NSR_PがSR周期、NOFFSET,SRがSRサブフレームのずれ、|_  _|がfloor（x）演算子である。
【００１７】
さらに、無線フレーム及びサブフレームの確定モジュールに接続された、SR周期及びサブフレームずれの確定モジュールを備え、SR周期及びサブフレームずれの確定モジュールが、基地局が送信したSR配置インデクスによりSR周期と前記SRサブフレームずれを確定するために用いられ、すなわち、前記SR周期が相応の5ms、10ms、20ms、40ms、80ms及びOFFであることをそれぞれ指示するため、SR配置インデクス0〜155が0〜4、5〜14、15〜34、35〜74、75〜154及び155の6段に分けられて、１段目のサブフレームずれが当該段の相応のSR配置インデクスに等しく、他の各段の前記サブフレームずれが当該段の相応のSR配置インデクス引く当該段の前の各段の前記SR周期の和に等しく、OFFが周期閉鎖を表し、確定されたSR周期とSRサブフレームずれを無線フレーム及びサブフレームの確定モジュールに出力する。
【発明の効果】
【００１８】
本発明が提供した方法及び装置によれば、端末がスケジューリング要求SR信号を基地局へ送信する際に、SR周期及びサブフレームずれから具体的なサブフレームまで全体のマッピング過程を完成させることができる。基地局の受信位置が携帯電話の送信位置と同一となることが保証され、1つの無線フレーム通し番号周期内にできるだけ多くの条件に合う無線フレームがSR信号の送信に用いることが保証されるので、UEが送信したSR信号が基地局に確かに受信されることを保証することができ、UEが無線フレームを十分に利用することを保証することができる。
【図面の簡単な説明】
【００１９】
【図１】LTEシステムのTDDモードのフレーム構造を示す図である。
【図２】LTEシステムのFDDモードのフレーム構造を示す図である。
【図３】物理資源ブロック構造を示す図である。
【図４】本発明のスケジューリング要求信号の送信方法のフローチャートである。
【図５】本発明のUEにおけるスケジューリング要求信号の送信装置の構造を示すブロック図である。
【発明を実施するための形態】
【００２０】
本発明のスケジューリング要求信号の送信方法は、上り信号を基地局へ送信する、LTEシステムにおける端末UEに対して用いられ、UEの相応する装置により実施される。当該方法は、以下のようなものを含む。UEは、SR配置インデクスによりSR周期とSRサブフレームずれを確定する。無線フレーム時間長がSR周期よりも短い場合、全体の時間長がSR周期に等しい複数の連続無線フレームにおける初の無線フレームの開始サブフレームからSRサブフレームずれを移動させた後、SR信号の送信フレームとサブフレームを確定する。無線フレーム時間長がSR周期以上の場合、各無線フレームをSR信号の送信フレームとして確定する。無線フレーム時間長がSR周期に等しい場合、送信フレームの開始サブフレームからSRサブフレームずれを移動させた後、送信フレームのサブフレームを定位し、無線フレーム時間長がSR周期より長い場合、無線ハーフフレームの開始サブフレームからSRサブフレームずれを移動させた後、送信フレームのサブフレームを定位する。UEは、確定された無線フレームのサブフレームによって、SR信号を基地局に送信する。
【００２１】
UEが、無線フレームがSR周期よりも短い場合、「全体の時間長がSR周期に等しい複数の連続無線フレームにおける初の無線フレームの開始サブフレームからSRサブフレームずれを移動させた後、SR信号の送信フレームとサブフレームを確定する」とは、全体の時間長が前記SR周期に等しい複数の連続無線フレームにおける初の無線フレームの開始サブフレームを開始位置とし、開始フレームからSRサブフレームずれを移動させた後に位置するサブフレームをSR信号の送信サブフレームとし、サブフレームが属する無線フレームをSR信号の送信フレームとするの意味である。
【００２２】
無線フレーム時間長が前記SR周期に等しい場合、「送信フレームの開始サブフレームからSRサブフレームずれを移動させた後、送信フレームのサブフレームを定位する」とは、送信フレームの開始サブフレームを開始位置とし、開始フレームからSRサブフレームずれを移動させた後に位置するサブフレームをSR信号の送信サブフレームとする意味である。
【００２３】
無線フレーム時間長が前記SR周期よりも長い場合、「無線ハーフフレームの開始サブフレームからSRサブフレームずれを移動させた後、送信フレームのサブフレームを定位する」とは、無線ハーフフレームの開始サブフレームを開始位置とし、開始フレームからSRサブフレームずれを移動された後に位置するサブフレームをSR信号の送信フレームとする意味である。
【００２４】
以下に添付図面と好適な実施例とを参照しながら本発明の上記方法及び相応の装置について詳細に説明する。これらの実施例は、本発明を説明するための便宜上のものであり、本発明を限定するものではない。
【００２５】
図4は、本発明のスケジューリング要求信号の送信方法のフローチャートである。当該フローにおいては、410において、UEはSR配置インデクスによりSR周期とSRサブフレームずれを確定する。確定方法は、表2に示されている。420において、UEがSR周期とSRサブフレームずれによりSRを送信する無線フレーム及びサブフレームの位置を確定する。
【００２６】
確定方法は次の通りである。UEは、無線フレーム時間長がSR周期よりも短い場合、全体の時間長がSR周期に等しい複数の連続無線フレームにおける初の無線フレームの開始サブフレームからSRサブフレームずれを移動させた後、SR信号の送信フレームとサブフレームを確定する。無線フレーム時間長がSR周期以上の場合、各無線フレームをSR信号の送信フレームとして確定する。無線フレーム時間長がSR周期に等しい場合、送信フレームの開始サブフレームからSRサブフレームずれを移動させた後、送信フレームのサブフレームを定位し、無線フレーム時間長がSR周期よりも長い場合、無線ハーフフレームの開始サブフレームからSRサブフレームずれを移動させた後、送信フレームのサブフレームを定位する。
【００２７】
具体的な方法は、以下の通りである。
方法１
UEは、SRサブフレームずれが0である場合、送信フレームのシステムフレーム番号nfが等式
【数９】
2011517221.tif 000013
を満足することを確定する。そして、SRサブフレームずれが0ではない場合、送信フレームのシステム番号nfが等式
【数１０】
2011517221.tif 000014
を満足することを確定する。
UEは、等式
【数１１】
2011517221.tif 000015
を満足するスロットインデクスnsにより送信フレームのサブフレームを確定する。上記等式では、modがmod演算子、NSR_PがSR周期、NOFFSET,SRがSRサブフレームのずれ、|_  _|がfloor（x）演算子である。
【００２８】
方法２
UEは、等式
【数１２】
2011517221.tif 000016
を満足するnfを送信フレームのシステムフレーム番号として確定し、等式を満足するスロットインデクスnsにより送信フレームのサブフレームを確定する。ここで、modがmod演算子、NSR_PがSR周期、NOFFSET,SRがSRサブフレームのずれ、|_  _|がfloor（x）演算子である。
【００２９】
430において、UEは、確定されたシステムフレーム番号がnfである無線フレームにSR信号を基地局へ送信する。
【００３０】
実施例１
SR周期NSR_Pが5ms、サブフレームずれNOFFSET,SRが2であると、SRを送信するサブフレームと無線フレームのシステムフレーム番号nfが等式
【数１３】
2011517221.tif 000017
を満足する。ここで、nsは、スロットインデクスである。NSR_P=5、NOFFSET,SR=2を上記等式に代入すると、SRを送信するサブフレームと無線フレームのシステムフレーム番号nfは、
【数１４】
2011517221.tif 000018
を満足する。
nf＝0の場合には、NOFFSET,SR＝2であるため、ns＝4、5又はns＝14、15、
（10×0+4/2-2）mod5＝0 mod5＝0、これは条件に合い、
（10×0+5/2-2）mod5 ＝0.5 mod5＝0、これは条件に合い、
よって、サブフレーム#2、すなわち3つ目のサブフレームが上記の条件に合う。
同様に、サブフレーム#7、すなわち8つ目のサブフレームが上記の条件に合い、
同様に、nf＝1、2……の3つ目のサブフレーム、8つ目のサブフレームがいずれも上記の条件に合う。
そのため、UEは、各無線フレームの3つ目のサブフレーム（サブフレーム#2が対応するスロット番号が4、5である）と8つ目のサブフレーム（サブフレーム#7が対応するスロット番号が14、15である）にSR信号を送信する。
【００３１】
実施例２
SR周期NSR_Pが10ms、サブフレームずれNOFFSET,SRが2であると、SRを送信するサブフレームと無線フレームのシステム番号nfは、
【数１５】
2011517221.tif 000019
を満足する。ここで、nsは、スロットインデクスである。
NSR_P＝10、NOFFSET,SR＝2を上記した等式に代入すると、SRを送信するサブフレームと無線フレームのシステム番号nfは
【数１６】
2011517221.tif 000020
を満足する。
nf＝0の場合には、NOFFSET,SR＝2であるため、ns＝4、5又はns＝14、15、
(10×0+4/2-2)mod10=0 mod10=0、これは条件に合い、
(10×0+5/2-2)mod10=0.5 mod10=0、これは条件に合い、
よって、サブフレーム#2、すなわち3つ目のサブフレームが上記の条件に合い、
(10×0+14/2-2)mod10=5 mod10=5、これは条件に合わず、
(10×0+15/2-2)mod10=5.5 mod10=5、これは条件に合わず、
よって、サブフレーム#7、すなわち8つ目のサブフレームが条件に合わない。
同様に、nf＝1、2……の3つ目のサブフレームがいずれも上記の条件に合う。
そのため、UEは、各無線フレームの3つ目のサブフレーム（サブフレーム#2が対応するスロット番号が4、5である）にSR信号を送信する。
【００３２】
実施例３
SR周期NSR_Pが20ms、サブフレームずれNOFFSET,SRが12であると、SRを送信するサブフレームと無線フレームのシステムフレーム番号nfは
【数１７】
2011517221.tif 000021
を満足する。ここで、nsは、スロットインデクスである。
nf＝0の場合には、NOFFSET,SR＝12であるため、ns＝4、5、
(10×0+4/2-2)mod20=0 mod20=0、これは条件に合い、
(10×0+5/2-2)mod20=0.5 mod20=0、これは条件に合い、
よって、1つ目の無線フレームの3つ目のサブフレーム（サブフレーム#2）が上記の条件に合う。
nf＝1の場合には、
(10×1+4/2-2)mod20=10 mod20=10、これは条件に合わず、
(10×1+5/2-2)mod20=10.5 mod20=10、これは条件に合わない。
nf＝2の場合には、
(10×2+4/2-2)mod20=20 mod20=0、これは条件に合い、
(10×2+5/2-2)mod20=20.5 mod20=0、これは条件に合う。
nf＝3の場合には、
(10×3+4/2-2)mod20=30 mod20=10、これは条件に合わず、
(10×3+5/2-2)mod20=0.5 mod20=10、これは条件に合わない。
……
そのため、UEは、nfの奇数の無線フレーム（1つ目、3つ目、5つ目……の無線フレーム、すなわちnf＝0、nf＝2、nf＝4……）の3つ目のサブフレーム（対応するスロット番号が4、5である）にSR信号を送信する。
【００３３】
図5は、本発明における上記方法に基づくスケジューリング要求信号の送信装置を示す。当該装置５００は、順次に接続されるSR周期及びサブフレームずれの確定モジュール510、無線フレーム及びサブフレームの確定モジュール520及び送信モジュール530を備える。
【００３４】
SR周期及びサブフレームずれの確定モジュール510は、SR配置インデクスによりSR周期とSRサブフレームずれを確定し、確定されたSR周期とSRサブフレームずれを無線フレーム及びサブフレームの確定モジュールへ出力するために用いられる。
【００３５】
確定の方法は、表2に示されている。無線フレーム及びサブフレームの確定モジュール520は、入力されたSR周期とSRサブフレームずれによりSRを送信する無線フレーム及びサブフレームを確定し、確定された無線フレーム及びサブフレームを送信モジュールへ出力する。
【００３６】
無線フレーム及びサブフレームの確定モジュール520は、無線フレーム時間長がSR周期よりも短い場合、全体の時間長がSR周期に等しい複数の連続無線フレームにおける初の無線フレームの開始サブフレームからSRサブフレームずれを移動させた後、SR信号の送信フレームとサブフレームを確定し、無線フレーム時間長がSR周期以上の場合、各無線フレームをSR信号の送信フレームとして確定する。無線フレーム時間長がSR周期に等しい場合、送信フレームの開始サブフレームからSRサブフレームずれを移動させた後、送信フレームのサブフレームを定位し、無線フレーム時間長がSR周期よりも長い場合、無線ハーフフレームの開始サブフレームからSRサブフレームずれを移動した後、送信フレームのサブフレームを定位する。
【００３７】
送信モジュール530は、確定された無線フレームのサブフレームにSR信号を基地局へ送信するために用いられる。
【００３８】
上述は本発明の実施形態であり、本発明を限定するものではなく、当業者にとっては、様々な変更とバリエーションが考えられる。その一部の実施形態については上述したが、本発明はこれに限定されない。特許請求の範囲の中で述べられている本発明の精神及び範囲内で、改良、および均等物が、当業者には明らかであろう。
【産業上の利用可能性】
【００３９】
本発明によれば、端末がスケジューリング要求SR信号を基地局へ送信する際に、SR周期及びサブフレームずれから具体的なサブフレームまで全体のマッピング過程を完成させることができ、UEが送信したSR信号が基地局に確実に受信されることを保証することができ、UEが無線フレームを十分に効率的に利用することを保証することができる。
【図１】
2011517221.tif 000030
【図２】
2011517221.tif 000031
【図３】
2011517221.tif 000032
【図４】
2011517221.tif 000033
【図５】
2011517221.tif 000034
【国際調査報告】
2011517221.tif 000035
2011517221.tif 000036
2011517221.tif 000037
2011517221.tif 000038